(57)【特許請求の範囲】
【請求項１】
ＭＡＣ（媒体アクセス制御）層エンティティの処理方法であって、
ユーザ装置とネットワーク側との間に第１のコネクティビティ及び第２のコネクティビティを含むデュアルコネクティビティが存在するように、前記ユーザ装置が、前記第２のコネクティビティのために対応するＭＡＣ層エンティティを確立するステップであって、前記ユーザ装置は、前記ネットワーク側との間の前記第１のコネクティビティ及び前記第２のコネクティビティを確立するように、同一のＲＡＴ（無線アクセス技術）を用いて複数の基地局との間の接続を確立する、ステップと、
前記ユーザ装置が前記第２のコネクティビティを解放するための指示を受信した場合、前記ユーザ装置が、前記第２のコネクティビティのＭＡＣ層エンティティを解放し、前記第２のコネクティビティに関連する全ての無線リソースを解放し、前記第２のコネクティビティに関連するタイマを停止するステップと、を含み、
前記第１のコネクティビティにＲＲＣ（無線リソース制御）エンティティが存在し、ＳＲＢ（シグナリング無線ベアラ）は常に前記第１のコネクティビティを介して転送され、前記第２のコネクティビティのＭＡＣ層エンティティは、多重化又は逆多重化モジュール、論理チャネル優先順位付けモジュール、制御モジュール、ランダムアクセス制御モジュール及びＨＡＲＱモジュールを含む、方法。
【請求項２】
前記ユーザ装置が接続状態から離れる動作を行うステップをさらに含む、請求項１に記載の方法。
【請求項３】
前記ユーザ装置が接続状態から離れる動作を行うステップをさらに含み、
前記接続状態から離れる動作は、少なくとも、前記第１のコネクティビティのＭＡＣ層エンティティをリセットすること、前記第１のコネクティビティ及び前記第２のコネクティビティに対応するアイドル状態において動作するべきタイマ以外の他のタイマを停止すること、及び前記第１のコネクティビティ及び前記第２のコネクティビティに関連する全ての無線リソースを解放することを含む、請求項１に記載の方法。
【請求項４】
前記ユーザ装置が、第１のコネクティビティ及び前記第２のコネクティビティを含むデュアルコネクティビティが存在するか否かを判断するステップ、をさらに含み、
デュアルコネクティビティが存在すると判断された場合、前記第２のコネクティビティのＭＡＣ層エンティティを解放する、請求項１に記載の方法。
【請求項５】
ユーザ装置であって、
前記ユーザ装置とネットワーク側との間に第１のコネクティビティ及び第２のコネクティビティを含むデュアルコネクティビティが存在するように、前記第２のコネクティビティのために対応するＭＡＣ（媒体アクセス制御）層エンティティを確立するコネクティビティ確立手段と、
前記第２のコネクティビティを解放するための指示を受信する指示受信手段と、
前記第２のコネクティビティのＭＡＣ層エンティティを解放するコネクティビティ解放手段と、
前記第２のコネクティビティに関連するタイマを停止し、前記第２のコネクティビティに関連する全ての無線リソースを解放するリソース解放手段と、を含み、
前記第１のコネクティビティにＲＲＣエンティティが存在し、ＳＲＢは常に前記第１のコネクティビティを介して転送され、前記第２のコネクティビティのＭＡＣ層エンティティは、多重化又は逆多重化モジュール、論理チャネル優先順位付けモジュール、制御モジュール、ランダムアクセス制御モジュール及びＨＡＲＱモジュールを含む、ユーザ装置。
【請求項６】
接続状態から離れる動作を行う離れ動作手段をさらに含む、請求項５に記載のユーザ装置。
【請求項７】
接続状態から離れる動作を行う離れ動作手段をさらに含み、
前記接続状態から離れる動作は、少なくとも、前記第１のコネクティビティのＭＡＣ層エンティティをリセットすること、前記第１のコネクティビティ及び前記第２のコネクティビティに対応するアイドル状態において動作するべきタイマ以外の他のタイマを停止すること、及び前記第１のコネクティビティ及び前記第２のコネクティビティに関連する無線リソースを解放することを含む、請求項５に記載のユーザ装置。
【請求項８】
前記ユーザ装置が第１のコネクティビティ及び前記第２のコネクティビティを含むデュアルコネクティビティを有するか否かを判断するコネクティビティ判断手段、をさらに含み、
デュアルコネクティビティを有すると前記コネクティビティ判断手段により判断された場合、前記コネクティビティ解放手段は、第２のコネクティビティのＭＡＣ層エンティティを解放する、請求項５に記載のユーザ装置。
【請求項９】
ユーザ装置とネットワーク側との間に第１のコネクティビティ及び第２のコネクティビティを含むデュアルコネクティビティが存在するように、前記第２のコネクティビティのために対応するＭＡＣ層エンティティを確立する前記ユーザ装置を含み、
前記第１のコネクティビティにＲＲＣ（無線リソース制御）エンティティが存在し、ＳＲＢ（シグナリング無線ベアラ）は常に前記第１のコネクティビティを介して転送され、前記第２のコネクティビティのＭＡＣ層エンティティは、多重化又は逆多重化モジュール、論理チャネル優先順位付けモジュール、制御モジュール、ランダムアクセス制御モジュール及びＨＡＲＱモジュールを含み、
前記ユーザ装置が前記第２のコネクティビティを解放するための指示を受信した場合、前記ユーザ装置は、前記第２のコネクティビティのＭＡＣ層エンティティを解放し、前記第２のコネクティビティに関連する全ての無線リソースを解放し、前記第２のコネクティビティに関連するタイマを停止する、通信システム。
【発明の詳細な説明】
【技術分野】
【０００１】
本発明は、通信分野に関し、特に媒体アクセス制御（MAC：Media  Access  Control）層エンティティの処理方法、ユーザ装置及び通信システムに関する。
【背景技術】
【０００２】
ＬＴＥ−Ａシステムでは、ユーザ装置（端末とも称される）は主にエアーインタフェースを介して基地局と通信する。エアーインタフェースプロトコルは、制御プレーンとデータプレーン（ユーザプレーンと称されてもよい）に分けられる。そのうち、制御プレーンは主にエアーインタフェースの制御情報を生成、伝送するために用いられ、ユーザプレーンは主にユーザデータを伝送するために用いられる。
【０００３】
図１はユーザ装置と基地局との間の制御プレーンプロトコルの構成を示す図であり、図２はユーザ装置と基地局との間のユーザプレーンプロトコルの構成を示す図である。図１及び図２に示すように、ユーザプレーンでも制御プレーンでも、ユーザ装置側では対応するＭＡＣ層が存在する。実際には、装置を具体的に実施する際に、ＭＡＣ層はユーザプレーンと制御プレーンにより共有される。
【０００４】
図３はユーザ装置側のＭＡＣ層の構成を示す図である。図３に示すように、最も右側の制御モジュールは、ＭＡＣ層における他の全てのエンティティを制御する。右下側のランダムアクセス制御（Random  Access  Control）モジュールは、ランダムアクセスプロセスを制御する。左下側のハイブリッド自動再送要求（HARQ：Hybrid  Automatic  Repeat  Request）モジュールは、アップリンク及びダウンリンクのＨＡＲＱ動作を行う。中央の（逆）多重化（（De-）Multiplexing）モジュールは、デュアルコネクティビティであり、ダウンリンクにおいてＭＡＣプロトコルデータユニット（PDU：Protocol  Data  Unit）に対する逆多重化を行い、逆多重化が完了した後で関連するデータを対応するダウンリンクＣＣＣＨチャネル、ダウンリンクＤＣＣＨチャネル及びダウンリンクＤＴＣＨチャネルに伝送し、アップリンクにおいてアップリンクＣＣＣＨチャネル、アップリンクＤＣＣＨチャネル及びアップリンクＤＴＣＨチャネルからのデータ及びＭＡＣ層制御情報要素を多重化し、ＭＡＣ  ＰＤＵを生成する。最も左側の逆多重化（De  Multiplexing）モジュールは、ダウンリンクのみについて、ＭＣＨから伝送されたデータを逆多重化し、ＭＣＣＨ及びＭＴＣＨチャネルにそれぞれ伝送する。最も上の論理チャネル優先順位付け（Logical  Channel  Prioritization）モジュールは、アップリンクチャネルのみについて、所定の優先順位付けルールに従って、異なる論理チャネルからのデータ及びＭＡＣ層制御情報要素に対して異なる優先順位を用いて処理を行う。
【０００５】
従来のＬＴＥ−Ａ  ＣＡシステムでは、ＭＡＣ層に対する主な動作は、２つ、即ち再構成及びリセットがある。再構成プロセスでは、ＭＡＣ層の関連構成は増加、変更、又は削除される。そのうち、再構成プロセスでは、セカンダリセルが増加された場合は、ＭＡＣ層は対応するＨＡＲＱエンティティを初期化する必要があり、これは、各セカンダリセルは異なるＨＡＲＱエンティティを必要とするからである。セカンダリセルが除去された場合、対応するＨＡＲＱエンティティも除去されるべきであり、これは、このＨＡＲＱエンティティが除去されないと、ユーザ装置のリソースを占有するからである。ＭＡＣ層のリセットプロセスでは、ＭＡＣ層のタイマを停止し、全ての関連プロセスをキャンセルすること等の動作があり、その目的は、ＭＡＣ層の設定を初期の既知の状態に位置させるためである。しかし、リセットプロセスでは、ＭＡＣ層の他のエンティティを、ＨＡＲＱエンティティのように初期化、或いは除去する動作がない。即ち、ＭＡＣ層のＨＡＲＱエンティティ以外のエンティティは、ＭＡＣ層がリセットされた後にも依然として存在している。ＭＡＣ層全体として、ＭＡＣ層がリセットされた後にも、ＭＡＣエンティティ全体は依然として存在している。
【０００６】
ＬＴＥ−Ａシステムでは、ユーザ装置は２つの状態、即ち接続状態及びアイドル状態を有する。接続状態では、ユーザ装置がネットワーク側との間で専用データを送受信でき、アイドル状態では、ユーザ装置がネットワーク側からブロードキャスト又はマルチキャストデータを受信することしかできない。アイドル状態から接続状態に変換する場合、ネットワーク側はユーザ装置に多くの専用無線リソースを構成する必要があり、ユーザ装置自身も接続状態のために専用リソースを構成し、例えば関連するエンティティを確立し、関連するタイマを起動する必要がある。一方、接続状態からアイドル状態に変換する場合、これらの全ての無線リソース及びユーザ装置の専用リソースを解放する必要がある。
【０００７】
［非特許文献１］には、接続状態から離れる場合のユーザ装置の動作を定義し、該動作は、ＭＡＣエンティティをリセットすること、Ｔ３２０、Ｔ３２４及びＴ３３０以外の全ての動作しているタイマを停止すること、無線ベアラが既に確立された全ての無線リンク制御（RLC：Radio  Link  Control）エンティティ、並びにＭＡＣ構成及び関連するパケットデータ収束プロトコル（PDCP：Packet  Data  Converge  Protocol）エンティティ等を含む全ての無線リソースを解放することを含む。ユーザ装置が接続状態から離れる場合、ＭＡＣ層におけるＨＡＲＱエンティティ以外の他のエンティティが解放、或いは除去されていないことが分かった。
【０００８】
一方、従来のＬＴＥ−Ａシステムでは、主にマクロセル（Macro  Cell）が配置されている。将来のトラフィックの増加に伴い、システムのペイロード・ブリッジング又はカバレッジの拡張を図るため、スモールセル（small  cell）（例えばマイクロセル（Micro  Cell）、ピコセル（Pico  Cell）、フェムトセル（Femto  Cell）又はリモート無線ヘッド（RRH）等）をさらに配置する可能性がある。スモールセルは、カバーエリアが比較的に小さいが、数が比較的に多い。
【０００９】
しかし、本発明の発明者の発見によれば、スモールセルの配置のみを行い、制御を最適化しないと、ハンドオーバの回数が多いこと、ドロップ（drop）率が増加すること、及び制御シグナリングの負荷が増加することなどの問題点がある。また、従来のプロトコルの定義によると、ＭＡＣエンティティはいずれも削除、除去されない。２つ以上のコネクティビティが存在する場合にＭＡＣエンティティは如何に確立、削除されるかについて、従来技術では検討されていない。従って、制御を最適化しないと、ユーザ装置の無駄なリソースの低減を確保できないため、ユーザ装置の処理能力を効率的に向上できない。
【００１０】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【００１１】
以下は、本発明及び周知技術を理解するための文献を列記し、これらの文献を本明細書に説明するように援用する。
【００１２】
［非特許文献１］：3GPP  TS  36.331  V11.3.0(2013-03)  Radio  Resource  Control  (RRC)  specification.(Release  11)
［非特許文献２］：3GPP  TS  36.321  V11.2.0(2013-03).  Medium  Access  Control  (MAC)  protocol  specification  (Release  11)
［非特許文献３］：3GPP  TS  36.300  V11.5.0(2013-03)  Overall  description  (Stage  2).(Release  11)
【発明の概要】
【発明が解決しようとする課題】
【００１３】
本発明の実施例は、ＭＡＣエンティティを合理的に確立し、或いは削除し、ユーザ装置のリソースを効率的に管理する、ＭＡＣ層エンティティの処理方法、ユーザ装置及び通信システムを提供することを目的とする。
【課題を解決するための手段】
【００１４】
本発明の実施例の一の態様では、ＭＡＣ（媒体アクセス制御）層エンティティの処理方法であって、ユーザ装置とネットワーク側との間に第１のコネクティビティ及び前記第１のコネクティビティよりも弱い機能を有する第２のコネクティビティを含むデュアルコネクティビティが存在するように、前記ユーザ装置が、前記第２のコネクティビティのために対応するＭＡＣ層エンティティを確立するステップ、を含み、前記第２のコネクティビティのＭＡＣ層エンティティは、少なくとも多重化又は逆多重化モジュール及び論理チャネル優先順位付けモジュールを含む、方法を提供する。
【００１５】
本発明の実施例の他の態様では、ＭＡＣ（媒体アクセス制御）層エンティティの処理方法であって、ユーザ装置が第２のコネクティビティのＭＡＣ層エンティティを解放するステップを含み、前記ユーザ装置とネットワーク側との間に、第１のコネクティビティ及び前記第１のコネクティビティよりも弱い機能を有する前記第２のコネクティビティを含むデュアルコネクティビティが存在し、前記第２のコネクティビティのＭＡＣ層エンティティは、少なくとも多重化又は逆多重化モジュール及び論理チャネル優先順位付けモジュールを含む、方法を提供する。
【００１６】
本発明の実施例の他の態様では、ユーザ装置であって、前記ユーザ装置とネットワーク側との間に第１のコネクティビティ及び前記第１のコネクティビティよりも弱い機能を有する第２のコネクティビティを含むデュアルコネクティビティを確立するように、前記第２のコネクティビティのために対応するＭＡＣ（媒体アクセス制御）層エンティティを確立するコネクティビティ確立手段、を含み、前記第２のコネクティビティのＭＡＣ層エンティティは、少なくとも多重化又は逆多重化モジュール及び論理チャネル優先順位付けモジュールを含む、ユーザ装置を提供する。
【００１７】
本発明の実施例の他の態様では、ユーザ装置であって、第２のコネクティビティのＭＡＣ（媒体アクセス制御）層エンティティを解放するコネクティビティ解放手段を含み、前記ユーザ装置とネットワーク側との間に、第１のコネクティビティ及び前記第１のコネクティビティよりも弱い機能を有する前記第２のコネクティビティを含むデュアルコネクティビティが存在し、前記第２のコネクティビティのＭＡＣ層エンティティは、少なくとも多重化又は逆多重化モジュール及び論理チャネル優先順位付けモジュールを含む、ユーザ装置を提供する。
【００１８】
本発明の実施例の他の態様では、上記のユーザ装置を含む、通信システムを提供する。
【００１９】
本発明の実施例の他の態様では、ユーザ装置においてプログラムを実行する際に、コンピュータに、上記のＭＡＣ層エンティティの処理方法を前記ユーザ装置において実行させる、コンピュータ読み取り可能なプログラムを提供する。
【００２０】
本発明の実施例の他の態様では、コンピュータに、上記のＭＡＣ層エンティティの処理方法をユーザ装置において実行させるためのコンピュータ読み取り可能なプログラムを記憶する、記憶媒体を提供する。
【００２１】
本発明の実施例の有益な効果としては、デュアルコネクティビティ構成のＭＡＣエンティティを合理的に確立し、或いは解放することで、制御を最適化した上でユーザ装置の無駄なリソースを低減できる。
【００２２】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２３】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２４】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２５】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００２６】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】ユーザ装置と基地局との間の制御プレーンプロトコルの構成を示す図である。
【図２】ユーザ装置と基地局との間のユーザプレーンプロトコルの構成を示す図である。
【図３】ユーザ装置側のＭＡＣ層の構成を示す図である。
【図４】アップリンクのユーザ装置側のユーザプレーンプロトコルスタックの構成を示す図である。
【図５】アップリンクのユーザ装置側のユーザプレーンプロトコルスタックの他の構成を示す図である。
【図６】アップリンクのユーザ装置側のユーザプレーンプロトコルスタックの構成を示す図である。
【図７】アップリンクのユーザ装置側のユーザプレーンプロトコルスタックの他の構成を示す図である。
【図８】本発明の実施例１のＭＡＣ層エンティティの処理方法のフローチャートである。
【図９】本発明の実施例１の第２のコネクティビティのＭＡＣ層エンティティの構成を示す図である。
【図１０】本発明の実施例１のＭＡＣ層エンティティの処理方法の他のフローチャートである。
【図１１】本発明の実施例２のＭＡＣ層エンティティの処理方法のフローチャートである。
【図１２】本発明の実施例２のＭＡＣ層エンティティの処理方法の他のフローチャートである。
【図１３】本発明の実施例２のＭＡＣ層エンティティの処理方法のフローチャートである。
【図１４】本発明の実施例２のＭＡＣ層エンティティの処理方法のフローチャートである。
【図１５】本発明の実施例２のＭＡＣ層エンティティの処理方法のフローチャートである。
【図１６】本発明の実施例３のユーザ装置の構成を示す図である。
【図１７】本発明の実施例３のユーザ装置の他の構成を示す図である。
【図１８】本発明の実施例４のユーザ装置の構成を示す図である。
【図１９】本発明の実施例４のユーザ装置の他の構成を示す図である。
【図２０】本発明の実施例４のユーザ装置の他の構成を示す図である。
【図２１】本発明の実施例４のユーザ装置の他の構成を示す図である。
【図２２】本発明の実施例４のユーザ装置の他の構成を示す図である。
【図２３】本発明の実施例５の通信システムの構成を示す図である。
【発明を実施するための形態】
【００２７】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２８】
標準化団体では、マクロセルとスモールセルとが共存する場合に存在する複数の問題点を解決するために、デュアルコネクティビティ（Dual  Connectivity）構造が提案された。デュアルコネクティビティ構造では、ユーザ装置（端末と称されてもよい）はネットワーク側と２つ又は複数のコネクティビティ（Connectivity）を同時に確立することができる。典型的には、１つのコネクティビティはユーザ装置とマクロセル基地局との間にあり、もう１つはユーザ装置とスモールセル基地局との間にあり、ここで第１のコネクティビティ（例えばマクロコネクティビティ）と第２のコネクティビティ（例えばスモールコネクティビティ）とそれぞれ称されてもよい。
【００２９】
通常、スモールコネクティビティに比べて、マクロコネクティビティはより強い機能を有し、より多くの制御機能を有することができる。例えば、制御プレーンの無線リソース制御機能はマクロコネクティビティのみに存在し、若しくはマクロコネクティビティにおける無線リソース制御機能はマクロコネクティビティの制御以外、スモールコネクティビティの一部の無線リソース制御機能をさらに有し、又はより多くのチャネルをキャリーし、例えばマクロコネクティビティがブロードキャストチャネル、ページングチャネルなどをキャリーしてもよく、又はより多くの種類の無線キャリアをキャリーし、例えばマクロコネクティビティで信号無線キャリア及びデータ無線キャリアをキャリーしてもよい。一方、スモールコネクティビティでデータ無線キャリアのみをキャリーしてもよい。
【００３０】
なお、本発明の第１のコネクティビティはユーザ装置とマクロセル基地局との間のものに限定されず、第２のコネクティビティもユーザ装置とスモールセル基地局との間のものに限定されない。例えば、第１のコネクティビティはユーザ装置とスモールセル基地局との間に存在してもよく、第２のコネクティビティはユーザ装置とマクロセル基地局との間に存在してもよい。この場合は、ユーザ装置とスモールセル基地局との間の第１のコネクティビティの機能は、ユーザ装置とマクロセル基地局との間の第２のコネクティビティの機能よりも強くてもよい。本発明はこれに限定されず、以下は、第１のコネクティビティがユーザ装置とマクロセル基地局との間にあり、第２のコネクティビティがユーザ装置とスモールセル基地局との間にあることを一例として、本発明を詳細に説明する。また、具体的に実施する際に、ユーザ装置とネットワークとの間に３つ以上のコネクティビティが存在する可能性あり、この場合は、１つだけのコネクティビティは第１のコネクティビティであり、他のコネクティビティはいずれも第２のコネクティビティである。本発明の内容は同様に複数のコネクティビティの場合にも適用してもよい。
【００３１】
各コネクティビティ内には、複数の層（例えば物理（ＰＨＹ）層、ＭＡＣ層、ＲＬＣ層など）により制御プレーンの機能（主にエアーインタフェース制御シグナリングの生成及び伝送に関する）及びユーザプレーンの機能（主にエアーインタフェースユーザデータの伝送に関する）を果たす。デュアルコネクティビティ構造を実現するために、エアーインタフェースのプロトコルスタック構造は複数の選択肢がある。ユーザプレーン及び制御プレーンは同様な考え方で複数のプロトコルスタック構造の分析を行うことができるため、以下は、ユーザプレーンを一例として説明する。
【００３２】
図４はアップリンクのユーザ装置側のユーザプレーンプロトコルスタックの構成を示す図であり、ＰＤＣＰ層で分けられた場合のものを示している。図４に示すように、２つのコネクティビティにはいずれも分散型のＰＤＣＰ層、ＲＬＣ層、ＭＡＣ層及びＰＨＹ層を有する。
【００３３】
図５はアップリンクのユーザ装置側のユーザプレーンプロトコルスタックの他の構成を示す図であり、ＲＬＣ層で分けられた場合のものを示している。図５に示すように、２つのコネクティビティにはいずれも分散型のＲＬＣ層、ＭＡＣ層及びＰＨＹ層を有する。しかし、ユーザ装置には集中型のＰＤＣＰ層が有し、ＰＤＣＰ層は２つのコネクティビティにおけるＲＬＣ層に関連している。
【００３４】
図６はアップリンクのユーザ装置側のユーザプレーンプロトコルスタックの構成を示す図であり、ＭＡＣ層で分けられた場合のものを示している。図６に示すように、２つのコネクティビティにはいずれも分散型のＭＡＣ層及びＰＨＹ層を有する。しかし、ユーザ装置には集中型のＰＤＣＰ層及びＲＬＣ層が有し、ＲＬＣ層は２つのコネクティビティにおけるＭＡＣ層に関連している。
【００３５】
図７はアップリンクのユーザ装置側のユーザプレーンプロトコルスタックの他の構成を示す図であり、ＰＨＹ層で分けられた場合のものを示している。図７に示すように、２つのコネクティビティにはいずれも分散型のＰＨＹ層を有する。しかし、ユーザ装置には集中型のＰＤＣＰ層、ＲＬＣ層及びＭＡＣ層が有する。
【００３６】
図４乃至図６に示すように、図４乃至図６にはいずれも２つのＭＡＣ層エンティティが有し、そのうち１つはマクロコネクティビティにあり、もう１つはスモールコネクティビティにある。ユーザ装置とネットワーク側との間にこのようなデュアルコネクティビティを確立した場合、ユーザ装置が接続状態から離れ、或いは第２のコネクティビティを解放したとき、従来のプロトコルの定義によれば、いずれのＭＡＣエンティティも削除、除去されない。ユーザ装置がアイドル状態に変換した場合、２つのＭＡＣエンティティを維持する必要があるため、リソースを浪費するから、これを回避する必要がある。
【００３７】
＜実施例１＞
本発明の実施例はＭＡＣ（媒体アクセス制御）層エンティティの処理方法を提供する。図８は本発明の実施例１のＭＡＣ層エンティティの処理方法のフローチャートであり、図８に示すように、該方法は下記のステップを含む。
【００３８】
ステップ８０１：ユーザ装置は、ユーザ装置とネットワーク側との間にデュアルコネクティビティが存在するように、第２のコネクティビティのために対応するＭＡＣ層エンティティを確立する。該デュアルコネクティビティは、第１のコネクティビティ及び、第１のコネクティビティよりも弱い機能を有する第２のコネクティビティを含む。第２のコネクティビティのＭＡＣ層エンティティは、少なくとも多重化又は逆多重化モジュール及び論理チャネル優先順位付けモジュールを含む。
【００３９】
１つの態様では、第２のコネクティビティのＭＡＣ層エンティティは、制御モジュールをさらに含む。第２のコネクティビティのＭＡＣ層エンティティ及び第１のコネクティビティのＭＡＣ層エンティティは、それぞれ制御モジュールを用いて独立して制御されることで、完全に独立した分散型のＭＡＣ構造を形成する。
【００４０】
この態様では、２つのコネクティビティにおけるＭＡＣ層エンティティは完全に独立し、即ち各ＭＡＣ層エンティティは共に自分の独立した制御モジュールを有する。例えば、第１のコネクティビティ（マクロコネクティビティ）のＭＡＣ層エンティティは従来プロトコルの構造（例えば図３に示す構造）を用いてもよく、第２のコネクティビティ（スモールコネクティビティ）のＭＡＣ層エンティティは図９に示す構造を用いてもよい。
【００４１】
図９は本発明の実施例１の第２のコネクティビティのＭＡＣ層エンティティの構成を示す図である。図９に示すように、（逆）多重化モジュール、論理チャネル優先順位付けモジュールは共に第２のコネクティビティのＭＡＣ層における制御モジュールにより制御され、その動作が第１のコネクティビティのＭＡＣ層から独立している。
【００４２】
また、第２のコネクティビティのＭＡＣ層エンティティは、ランダムアクセス制御モジュール及び／又はＨＡＲＱ（ハイブリッド自動再送要求）モジュールをさらに含んでもよい。図９に示すように、ＨＡＲＱモジュール及びランダムアクセス制御モジュールも、第２のコネクティビティのＭＡＣ層における制御モジュールにより制御され、第１のコネクティビティのＭＡＣ層から独立している。
【００４３】
なお、本発明はこれに限定されず、第２のコネクティビティのＭＡＣ層エンティティは他の実施形態をさらに有してもよい。本実施形態では、第２のコネクティビティのＭＡＣ層エンティティは、少なくとも制御モジュール、（逆）多重化モジュール及び論理チャネル優先順位付けモジュールを含む。これらのモジュールの具体的な構造又は実施は、従来技術を参照してもよい。
【００４４】
もう１つの態様では、第２のコネクティビティのＭＡＣ層エンティティ及び第１のコネクティビティのＭＡＣ層エンティティは、共通の制御モジュールを用いて制御されることで、半独立した分散型のＭＡＣ構造を形成する。
【００４５】
この態様では、２つのコネクティビティにおけるＭＡＣ層エンティティは同一の制御モジュールにより制御されてもよい。このように、制御モジュールは、２つの（逆）多重化モジュール（各コネクティビティは１つに対応する）、２つの論理チャネル優先順位付けモジュール（各コネクティビティは１つに対応する）を制御する。
【００４６】
また、第２のコネクティビティに対応する物理チャネルが有する場合、このＭＡＣ層エンティティは、第２のコネクティビティに対応するランダムアクセス制御モジュール及び第２のコネクティビティに対応するＨＡＲＱモジュールをさらに有する。それと共に、制御モジュールも、第２のコネクティビティに対応するランダムアクセス制御モジュール及び第２のコネクティビティに対応するＨＡＲＱモジュールを制御する。
【００４７】
この態様では、第２のコネクティビティのＭＡＣ層エンティティは少なくとも（逆）多重化モジュール及び論理チャネル優先順位付けモジュールを含む。第２のコネクティビティに対応する（逆）多重化モジュール、論理チャネル優先順位付けモジュール、ランダムアクセス制御モジュール及びＨＡＲＱモジュールも所定の構造に従って接続している。例えば、図９における構造に従って制御される。
【００４８】
これによって、デュアルコネクティビティ構造においてＭＡＣ層エンティティを合理的に確立することで、ユーザ装置のリソースを効率的に管理できる。
【００４９】
図１０は本発明の実施例１のＭＡＣ層エンティティの処理方法の他のフローチャートであり、図１０に示すように、該方法は下記のステップを含む。
【００５０】
ステップ１００１：ユーザ装置は、ユーザ装置とネットワーク側との間にデュアルコネクティビティが存在するように、第２のコネクティビティのために対応するＭＡＣ層エンティティを確立する。該デュアルコネクティビティは、第１のコネクティビティ及び第１のコネクティビティよりも弱い機能を有する第２のコネクティビティを含む。
【００５１】
ステップ１００２：ユーザ装置は、第２のコネクティビティのＭＡＣ層エンティティを解放する。
【００５２】
本実施例では、ユーザ装置とネットワーク側との間にデュアルコネクティビティが存在する場合、ユーザ装置は、第２のコネクティビティを解放するための指示を受信し、或いはユーザ装置が接続状態から離れるとき、第２のコネクティビティのＭＡＣ層エンティティを解放する。なお、本発明の第２のコネクティビティのＭＡＣ層エンティティを解放するための条件はこれに限定されず、他の解放条件であってもよい。
【００５３】
１つの態様では、ユーザ装置はまず第２のコネクティビティを解放して、そして、接続状態から離れる動作を行う場合、従来のプロトコルの定義に従って、接続状態から離れる動作を行う、ここで、第２のコネクティビティを解放するプロセスでは、第２のコネクティビティのＭＡＣ層エンティティを解放し、第２のコネクティビティに関連するタイマを停止し、第２のコネクティビティに関連する全ての無線リソース構成を解放することを含んでもよい。
【００５４】
第２のコネクティビティのＭＡＣ層エンティティを解放することを具体的に実施する際に、第２のコネクティビティのＭＡＣ層エンティティが完全に独立した分散型のＭＡＣ構造であり、即ち独立した制御モジュールを含む場合、第２のコネクティビティのＭＡＣ層エンティティを解放する際に、少なくとも第２のコネクティビティのＭＡＣ層エンティティの制御モジュール、（逆）多重化モジュール、論理チャネル優先順位付けモジュールを解放する。ランダムアクセス制御モジュール及び／又はＨＡＲＱモジュールをさらに含む場合、ランダムアクセス制御モジュール及び／又はＨＡＲＱモジュールをさらに解放する。
【００５５】
第２のコネクティビティを解放することをプロトコルで具体的に実現する際に、「第２のコネクティビティの解放」のプロセスで、第２のコネクティビティのＭＡＣ層エンティティを解放し、第２のコネクティビティに関連するアイドル状態において動作するべきもの以外の全てのタイマを停止し、第２のコネクティビティにおける無線ベアラが既に確立された全てのＲＬＣ層エンティティ及び関連するＰＤＣＰ層エンティティを含む第２のコネクティビティに関連する全ての無線リソース構成を解放することを規定してもよい。ここで、関連するタイマの停止と関連するエンティティ（ＭＡＣ層エンティティ、ＲＬＣ層エンティティ、ＰＤＣＰ層エンティティ）の解放の時間順序は上述した前後順序に限定されず、実際に実施する際に具体的な状況に応じて調整してもよい。
【００５６】
このように、ユーザ装置は、基地局の接続解放メッセージを受信した場合、ユーザ装置の上位層が接続解放を要求した場合、ユーザ装置がＥ−ＵＴＲＡ（Evolved  Universal  Terrestrial  Radio  Access）システムからハンドオーバした場合、又は接続状態から離れることを要求する他の命令を受信した場合、該ユーザ装置がデュアルコネクティビティ構造を有するか否かを判断する。デュアルコネクティビティ構造を有する場合、第２のコネクティビティのＭＡＣ層エンティティを解放して、従来のプロトコルの規定に従って接続状態から離れる動作を行う。該動作は、第１のコネクティビティのＭＡＣ層エンティティをリセットし、Ｔ３２０、Ｔ３２５及びＴ３３０以外の全ての動作しているタイマを停止し、無線ベアラが既に確立された全てのＲＬＣ層エンティティ、ＭＡＣ層構成及び関連するＰＤＣＰ層エンティティを含む第１のコネクティビティの全ての無線リソースを解放することを含む。また、ＲＲＣ接続が解放されたこと及び原因を上位層に通知し、ＲＲＣ接続から離れた原因が「Ｅ−ＵＴＲＡから移動する命令」が受信されたこと、又はタイマＴ３１１が動作している時にクロス無線アクセス技術（RAT：Radio  Access  Technology）のセルを選択することではない場合、該ユーザ装置はアイドル状態になり、関連するプロトコルに従って関連動作を行う。
【００５７】
第２のコネクティビティのＭＡＣ層エンティティを解放することを具体的に実施する際に、第２のコネクティビティのＭＡＣ層エンティティが半独立した分散型のＭＡＣ構造を用い、即ち第１のコネクティビティのＭＡＣ層エンティティと制御モジュールを共有する場合、第２のコネクティビティのＭＡＣ層エンティティを解放するプロセスでは、第２のコネクティビティにおける関連するＭＡＣ層エンティティを解放し、少なくとも（逆）多重化モジュール及び論理チャネル優先順位付けモジュールを解放する。ランダムアクセス制御モジュール及び／又はＨＡＲＱモジュールをさらに含む場合、ランダムアクセス制御モジュール及び／又はＨＡＲＱモジュールをさらに解放する。
【００５８】
第２のコネクティビティを解放することをプロトコルで具体的に実現する際に、「ＭＡＣ再構成」のプロセスで、１つのコネクティビティを解放する際に、ユーザ装置が、解放されるコネクティビティのために、少なくとも対応する（逆）多重化モジュール及び論理チャネル優先順位付けモジュールを解放する。そして、「第２のコネクティビティの解放」のプロセスでは、第２のコネクティビティに関連するアイドル状態において動作するべきもの以外の全てのタイマを停止し、第２のコネクティビティにおける無線ベアラが既に確立された全てのＲＬＣ層エンティティ及び関連するＰＤＣＰ層エンティティを含む第２のコネクティビティに関連する全ての無線リソース構成を解放することを規定する。ここで、関連するタイマの停止と関連するエンティティ（ＭＡＣ層エンティティ、ＲＬＣ層エンティティ、ＰＤＣＰ層エンティティ）の解放の時間順序は上述した前後順序に限定されず、実際に実施する際に具体的な状況に応じて調整してもよい。
【００５９】
このように、ユーザ装置は、基地局の接続解放メッセージを受信した場合、ユーザ装置の上位層が接続解放を要求した場合、ユーザ装置がＥ−ＵＴＲＡシステムからハンドオーバした場合、又は接続状態から離れることを要求する他の命令を受信した場合、該ユーザ装置がデュアルコネクティビティ構造を有するか否かを判断する。デュアルコネクティビティ構造を有する場合、第２のコネクティビティのＭＡＣ層エンティティを解放して、従来のプロトコルの規定に従って接続状態から離れる動作を行う。該動作は、第１のコネクティビティのＭＡＣ層エンティティをリセットし、Ｔ３２０、Ｔ３２５及びＴ３３０以外の全ての動作しているタイマを停止し、無線ベアラが既に確立された全てのＲＬＣ層エンティティ、ＭＡＣ層構成及び関連するＰＤＣＰ層エンティティを含む第１のコネクティビティの全ての無線リソースを解放することを含む。また、ＲＲＣ接続が解放されたこと及び原因を上位層に通知し、ＲＲＣ接続から離れた原因が「Ｅ−ＵＴＲＡから移動する命令」が受信されたこと、又はタイマＴ３１１が動作している時にクロスＲＡＴのセルを選択することではない場合、該ユーザ装置はアイドル状態になり、関連するプロトコルに従って関連動作を行う。
【００６０】
もう１つの態様では、ユーザ装置は、第２のコネクティビティを解放すると同時に、接続状態から離れる動作を行ってもよい。
【００６１】
第２のコネクティビティのＭＡＣ層エンティティを解放することを具体的に実施する際に、第２のコネクティビティのＭＡＣ層エンティティが完全に独立した分散型のＭＡＣ構造であり、即ち独立した制御モジュールを含む場合、ユーザ装置は、第２のコネクティビティに対応するＭＡＣ層エンティティを解放する必要があり、少なくとも第２のコネクティビティのＭＡＣ層エンティティの制御モジュール、（逆）多重化モジュール、論理チャネル優先順位付けモジュールを解放する。ランダムアクセス制御モジュール及び／又はＨＡＲＱモジュールをさらに含む場合、ランダムアクセス制御モジュール及び／又はＨＡＲＱモジュールをさらに解放する。第２のコネクティビティのＭＡＣ層エンティティが半独立した分散型のＭＡＣ構造であり、即ち第１のコネクティビティのエンティティと制御モジュールを共有する場合、ユーザ装置は、第２のコネクティビティに対応するＭＡＣ層エンティティ、例えば（逆）多重化モジュール及び論理チャネル優先順位付けモジュールを解放する必要がある。ランダムアクセス制御モジュール及び／又はＨＡＲＱモジュールをさらに含む場合、ランダムアクセス制御モジュール及び／又はＨＡＲＱモジュールをさらに解放する。
【００６２】
この態様をプロトコルで具体的に実現する際に、従来の「端末が接続から離れる動作」プロセスの開始部分で、デュアルコネクティビティ構造を有するか否かを判断する。デュアルコネクティビティを有する場合、第２のコネクティビティに対応するＭＡＣ層エンティティを解放し、第２のコネクティビティの解放の他の動作及び接続状態から離れる動作を同時に行う。該動作は、第１のコネクティビティに対応するＭＡＣ層エンティティをリセットし、２つのコネクティビティに対応するアイドル状態において動作するべきタイマ以外の全てのタイマを同時に停止し、２つのコネクティビティに関連する全ての無線リソースを解放することを含む。２つのコネクティビティに関連する全ての無線リソースは、第１のコネクティビティのＭＡＣ層構成、２つのコネクティビティにおける無線ベアラが既に確立されたＲＬＣ層エンティティ及び関連するＰＤＣＰ層エンティティを含む。そして、接続状態から離れる場合の後続の動作を行う。ここで、関連するタイマの停止と関連するエンティティ（ＭＡＣ層エンティティ、ＲＬＣ層エンティティ、ＰＤＣＰ層エンティティ）の解放の時間順序は上述した前後順序に限定されず、実際に実施する際に具体的な状況に応じて調整してもよい。
【００６３】
このように、ユーザ装置は、基地局の接続解放メッセージを受信した場合、ユーザ装置の上位層が接続解放を要求した場合、ユーザ装置がＥ−ＵＴＲＡシステムからハンドオーバした場合、又は接続状態から離れることを要求する他の命令を受信した場合、該ユーザ装置がデュアルコネクティビティ構造を有するか否かを判断する。デュアルコネクティビティ構造を有する場合、第２のコネクティビティに対応するＭＡＣ層エンティティを解放して、そして、第１のコネクティビティに対応するＭＡＣ層エンティティをリセットして、そして、２つのコネクティビティに対応する、アイドル状態において動作するべきタイマ以外の全てのタイマを同時に停止し、２つのコネクティビティに関連する全ての無線リソースを解放する。２つのコネクティビティに関連する全ての無線リソースは、第１のコネクティビティのＭＡＣ層構成、２つのコネクティビティにおける無線ベアラが既に確立されたＲＬＣ層エンティティ及び関連するＰＤＣＰ層エンティティを含む。そして、ＲＲＣ接続が解放されたこと及び原因を上位層に通知し、ＲＲＣ接続から離れた原因が「Ｅ−ＵＴＲＡから移動する命令」が受信されたこと、又はタイマＴ３１１が動作している時にクロス無線アクセス技術（RAT：Radio  Access  Technology）のセルを選択することではない場合、該ユーザ装置はアイドル状態になり、関連するプロトコルに従って関連動作を行う。
【００６４】
もう１つの態様では、ユーザ装置は、第２のコネクティビティを解放するための指示を受信した場合、第２のコネクティビティのＭＡＣ層エンティティを解放する。ここで、該第２のコネクティビティを解放するための指示は、基地局からのものであってもよいし、ユーザ装置の内部からのものであってもよく、例えばユーザ装置の他の動作により第２のコネクティビティの解放を起こしてもよい。
【００６５】
具体的に実施する際に、該方法は、第２のコネクティビティに関連するタイマを停止し、第２のコネクティビティにおける無線ベアラが全て確立されたＲＬＣ層エンティティ及び関連するＰＤＣＰ層エンティティを含む、第２のコネクティビティに関連する全ての無線リソースを解放するステップをさらに含んでもよい。ここで、関連するタイマの停止と関連するエンティティ（ＭＡＣ層エンティティ、ＲＬＣ層エンティティ、ＰＤＣＰ層エンティティ）の解放の時間順序は上述した前後順序に限定されず、実際に実施する際に具体的な状況に応じて調整してもよい。
【００６６】
第２のコネクティビティのＭＡＣ層エンティティの解放を具体的に実施する際に、第２のコネクティビティのＭＡＣ層エンティティが完全に独立した分散型のＭＡＣ構造を用い、即ち独立した制御モジュールを含む場合、ユーザ装置は、第２のコネクティビティのＭＡＣ層エンティティの制御モジュール、（逆）多重化モジュール及び論理チャネル優先順位付けモジュールを含む、第２のコネクティビティに対応するＭＡＣ層エンティティを解放する必要がある。ランダムアクセス制御モジュール及び／又はＨＡＲＱモジュールをさらに含む場合、ランダムアクセス制御モジュール及び／又はＨＡＲＱモジュールをさらに解放する。第２のコネクティビティのＭＡＣ層エンティティが半独立した分散型のＭＡＣ構造を用い、即ち第１のコネクティビティのＭＡＣ層エンティティと制御モジュールを共有する場合、ユーザ装置は、第２のコネクティビティに対応するＭＡＣ層エンティティ、例えば（逆）多重化モジュール及び論理チャネル優先順位付けモジュールを解放する必要がある。ランダムアクセス制御モジュール及び／又はＨＡＲＱモジュールをさらに含む場合、ランダムアクセス制御モジュール及び／又はＨＡＲＱモジュールをさらに解放する。
【００６７】
上記実施例によれば、デュアルコネクティビティ構造で、第２のコネクティビティに対応するＭＡＣ層エンティティを合理的に確立し、或いは解放することで、ユーザ装置のリソースを効率的に管理でき、制御を最適化して無駄なリソースを低減できる。
【００６８】
＜実施例２＞
本発明の実施例はＭＡＣ層エンティティの処理方法を提供し、ユーザ装置とネットワーク側との間にデュアルコネクティビティが既に存在している場合に、ＭＡＣ層エンティティの解放を説明する。実施例１と同様な内容についてその説明が省略される。
【００６９】
図１１は本発明の実施例２のＭＡＣ層エンティティの処理方法のフローチャートであり、図１１に示すように、該方法は下記のステップを含む。
【００７０】
ステップ１１０１：ユーザ装置は、第２のコネクティビティのＭＡＣ層エンティティを解放する。
【００７１】
ユーザ装置とネットワーク側との間に、第１のコネクティビティ及び第１のコネクティビティよりも弱い機能を有する第２のコネクティビティを含むデュアルコネクティビティが存在する。第２のコネクティビティのＭＡＣ層エンティティは、少なくとも多重化又は逆多重化モジュール及び論理チャネル優先順位付けモジュールを含む。
【００７２】
本実施例では、ユーザ装置とネットワーク側との間にデュアルコネクティビティが存在する場合、ユーザ装置は、第２のコネクティビティを解放するための指示を受信した場合、又はユーザ装置が接続状態から離れる場合、第２のコネクティビティのＭＡＣ層エンティティを解放する。なお、本発明の第２のコネクティビティのＭＡＣ層エンティティを解放する条件はこれに限定されず、他の解放条件であってもよい。
【００７３】
１つの態様では、ユーザ装置は、まず第２のコネクティビティを解放して、従来のプロトコルに規定された接続状態から離れる動作を行ってもよい。図１２は本発明の実施例２のＭＡＣ層エンティティの処理方法の他のフローチャートであり、図１２に示すように、該方法は下記のステップを含む。
【００７４】
ステップ１２０１：ユーザ装置は、接続状態から離れる場合、第２のコネクティビティのＭＡＣ層エンティティを解放する。
【００７５】
ステップ１２０２：ユーザ装置は、第２のコネクティビティに関連する、アイドル状態において動作するべきタイマ以外の全てのタイマを停止し、第２のコネクティビティにおける無線ベアラが確立されたＲＬＣ層エンティティ及び関連するＰＤＣＰ層エンティティを含む、第２のコネクティビティに関連する全ての無線リソースを解放する。
【００７６】
ここで、ステップ１２０１及びステップ１２０２における関連するタイマの停止と関連するエンティティ（ＭＡＣ層エンティティ、ＲＬＣ層エンティティ、ＰＤＣＰ層エンティティ）の解放の時間順序は上述した前後順序に限定されず、実際に実施する際に具体的な状況に応じて調整してもよい。
【００７７】
ステップ１２０３：ユーザ装置は、従来のプロトコルに規定された接続状態から離れる動作を行う。該動作は、第１のコネクティビティのＭＡＣ層エンティティをリセットし、Ｔ３２０、Ｔ３２５及びＴ３３０以外の全ての動作しているタイマを停止し、無線ベアラが既に確立された全てのＲＬＣ層エンティティ、ＭＡＣ層構成及び関連するＰＤＣＰ層エンティティなどを含む第１のコネクティビティの全ての無線リソースを解放することを含む。
【００７８】
具体的に実施する際に、該方法は、ＲＲＣ接続が解放されたこと及び原因を上位層に通知し、ＲＲＣ接続状態から離れた原因が「Ｅ−ＵＴＲＡから移動する命令」が受信されたこと、又はタイマＴ３１１が動作している時にクロスＲＡＴのセルを選択することではない場合、該ユーザ装置はアイドル状態に入るステップをさらに含んでもよい。
【００７９】
具体的には、ステップ１２０１においてユーザ装置が接続状態から離れる場合、ユーザ装置が基地局の接続解放メッセージを受信すること、ユーザ装置の上位層が接続解放を要求すること、ユーザ装置がＥ−ＵＴＲＡシステムからハンドオーバすること、又はユーザ装置が接続状態から離れることを要求する他の命令を受信することをさらに含んでもよい。
【００８０】
もう１つの態様では、ユーザ装置は、第２のコネクティビティを解放すると同時に、接続状態から離れる動作を行ってもよい。図１３は本発明の実施例２のＭＡＣ層エンティティの処理方法のフローチャートであり、図１３に示すように、該方法は下記のステップを含む。
【００８１】
ステップ１３０１：ユーザ装置は、接続状態から離れる場合、第２のコネクティビティのＭＡＣ層エンティティを解放する。
【００８２】
ステップ１３０２：ユーザ装置は、接続状態から離れる動作を行う。該接続状態から離れる動作は、第１のコネクティビティのＭＡＣ層エンティティをリセットすること、第１のコネクティビティ及び第２のコネクティビティに対応する、アイドル状態において動作するべきタイマ以外の他のタイマを停止すること、及び２つのコネクティビティに関連する全ての無線リソースを解放することなどを含む。
【００８３】
具体的に実施する際に、該方法は、ＲＲＣ接続が解放されたこと及び原因を上位層に通知し、ＲＲＣ接続から離れた原因が「Ｅ−ＵＴＲＡから移動する命令」が受信されたこと、又はタイマＴ３１１が動作している時にクロスＲＡＴのセルを選択することではない場合、該ユーザ装置はアイドル状態に入ることをさらに含んでもよい。
【００８４】
具体的には、ステップ１３０１においてユーザ装置が接続状態から離れる場合、ユーザ装置が基地局の接続解放メッセージを受信すること、ユーザ装置の上位層が接続解放を要求すること、ユーザ装置がＥ−ＵＴＲＡシステムからハンドオーバすること、又はユーザ装置が接続状態から離れることを要求する他の命令を受信することをさらに含んでもよい。
【００８５】
もう１つの態様では、ユーザ装置は、第２のコネクティビティを解放するための指示を受信した場合、第２のコネクティビティのＭＡＣ層エンティティを解放する。図１４は本発明の実施例２のＭＡＣ層エンティティの処理方法のフローチャートであり、図１４に示すように、該方法は下記のステップを含む。
【００８６】
ステップ１４０１：ユーザ装置は、第２のコネクティビティを解放するための指示を受信する。
【００８７】
ここで、該指示は、基地局からのものであってもよいし、ユーザ装置の内部からのものであってもよく、例えばユーザ装置の他の動作により第２のコネクティビティの解放を起こしてもよい。
【００８８】
ステップ１４０２：ユーザ装置は、第２のコネクティビティのＭＡＣ層エンティティを解放する。
【００８９】
具体的に実施する際に、該方法は、第２のコネクティビティに関連する全てのタイマを停止し、第２のコネクティビティにおける無線ベアラが全て確立されたＲＬＣ層エンティティ及び関連するＰＤＣＰ層エンティティを含む、第２のコネクティビティに関連する全ての無線リソースを解放するステップをさらに含んでもよい。ここで、関連するタイマの停止と関連するエンティティ（ＭＡＣ層エンティティ、ＲＬＣ層エンティティ、ＰＤＣＰ層エンティティ）の解放の時間順序は上述した前後順序に限定されず、実際に実施する際に具体的な状況に応じて調整してもよい。
【００９０】
第２のコネクティビティのＭＡＣ層エンティティの解放を具体的に実施する際に、第２のコネクティビティのＭＡＣ層エンティティが完全に独立した分散型のＭＡＣ構造を用い、即ち独立した制御モジュールを含む場合、ユーザ装置は、第２のコネクティビティのＭＡＣ層エンティティの制御モジュール、（逆）多重化モジュール及び論理チャネル優先順位付けモジュールを含む、第２のコネクティビティに対応するＭＡＣ層エンティティを解放する必要がある。ランダムアクセス制御モジュール及び／又はＨＡＲＱモジュールをさらに含む場合、ランダムアクセス制御モジュール及び／又はＨＡＲＱモジュールをさらに解放する。第２のコネクティビティのＭＡＣ層エンティティが半独立した分散型のＭＡＣ構造を用い、即ち第１のコネクティビティのＭＡＣ層エンティティと制御モジュールを共有する場合、ユーザ装置は、第２のコネクティビティに対応するＭＡＣ層エンティティ、例えば（逆）多重化モジュール及び論理チャネル優先順位付けモジュールを解放する必要がある。ランダムアクセス制御モジュール及び／又はＨＡＲＱモジュールをさらに含む場合、ランダムアクセス制御モジュール及び／又はＨＡＲＱモジュールをさらに解放する。
【００９１】
この態様では、ユーザ装置は、接続状態から離れることの指示をさらに受信した場合、第２のコネクティビティの解放をさらに起こしてもよい。第２のコネクティビティの解放動作及び接続状態から離れる動作は２つの実施形態があり、第２のコネクティビティを解放してから従来のプロトコルの規定に従って接続状態から離れる動作を実行すること、又は第２のコネクティビティＭＡＣ層エンティティを解放してから接続状態から離れる動作を実行することがある。具体的な実施は、図１２及び図１３に示す２つの態様を参照してもよい。
【００９２】
本実施例では、ユーザ装置は、デュアルコネクティビティを有するか否かをさらに判断してもよい。図１５は本発明の実施例２のＭＡＣ層エンティティの処理方法のフローチャートであり、図１５に示すように、該方法は下記のステップを含む。
【００９３】
ステップ１５０１：ユーザ装置は、第１のコネクティビティ及び前記第２のコネクティビティを含むデュアルコネクティビティが存在するか否かを判断する。
【００９４】
ステップ１５０２：デュアルコネクティビティが存在すると判断された場合、第２のコネクティビティのＭＡＣ層エンティティを解放する。
【００９５】
具体的に実施する際に、ステップ１５０２に、他のＭＡＣ層エンティティの解放条件、例えば上記の実施形態における「接続状態から離れる場合」又は「第２のコネクティビティを解放することを受信した場合」などをさらに追加してもよい。なお、本発明はこれに限定されず、実際の状況に応じて具体的な解放条件を決定してもよい。
【００９６】
上記実施例によれば、デュアルコネクティビティ構造で、第２のコネクティビティに対応するＭＡＣ層エンティティを合理的に確立し、或いは解放することで、ユーザ装置のリソースを効率的に管理でき、制御を最適化して無駄なリソースを低減できる。
【００９７】
＜実施例３＞
本発明の実施例は、実施例１に記載のＭＡＣ層エンティティの処理方法に対応するユーザ装置を提供し、同様な内容についてその説明が省略される。
【００９８】
図１６は本発明の実施例３のユーザ装置の構成を示す図である。図１６に示すように、ユーザ装置１６００は、コネクティビティ確立部１６０１を含む。ユーザ装置１６００の他の部分は従来技術を参照してもよく、ここでその説明が省略される。
【００９９】
コネクティビティ確立部１６０１は、ユーザ装置とネットワーク側との間に第１のコネクティビティ及び第１のコネクティビティよりも弱い機能を有する第２のコネクティビティを含むデュアルコネクティビティを確立するように、第２のコネクティビティのために対応するＭＡＣ層エンティティを確立する。第２のコネクティビティのＭＡＣ層エンティティは、少なくとも多重化又は逆多重化モジュール及び論理チャネル優先順位付けモジュールを含む。
【０１００】
１つの態様では、第２のコネクティビティのＭＡＣ層エンティティは、制御モジュールをさらに含み、第２のコネクティビティのＭＡＣ層エンティティ及び第１のコネクティビティのＭＡＣ層エンティティは、それぞれ制御モジュールを用いて独立して制御されることによって、完全に独立した分散型のＭＡＣ構造を形成した。
【０１０１】
もう１つの態様では、第２のコネクティビティのＭＡＣ層エンティティ及び第１のコネクティビティのＭＡＣ層エンティティは、共通の制御モジュールを用いて制御されることによって、半独立した分散型のＭＡＣ構造を形成した。
【０１０２】
具体的に実施する際に、第２のコネクティビティのＭＡＣ層エンティティは、ランダムアクセス制御モジュール及び／又はＨＡＲＱモジュールをさらに含んでもよい。なお、本発明はこれに限定されず、実際の状況に応じて具体的な構造を決定してもよい。
【０１０３】
図１７は本発明の実施例３のユーザ装置の他の構成を示す図である。図１７に示すように、ユーザ装置１７００は、上述したように、コネクティビティ確立部１６０１を含む。
【０１０４】
図１７に示すように、ユーザ装置１７００は、コネクティビティ解放部１７０２をさらに含んでもよい。コネクティビティ解放部１７０２は、第２のコネクティビティのＭＡＣ層エンティティを解放する。例えば、ユーザ装置１７００は、接続状態から離れる場合、第２のコネクティビティのＭＡＣ層エンティティを解放してもよいし、第２のコネクティビティを解放するための指示を受信した場合、第２のコネクティビティのＭＡＣ層エンティティを解放してもよいが、本発明はこれに限定されない。
【０１０５】
上記実施例によれば、デュアルコネクティビティ構造で、第２のコネクティビティに対応するＭＡＣ層エンティティを合理的に確立し、或いは解放することで、ユーザ装置のリソースを効率的に管理でき、制御を最適化して無駄なリソースを低減できる。
【０１０６】
＜実施例４＞
本発明の実施例は、実施例２に記載のＭＡＣ層エンティティの処理方法に対応するユーザ装置を提供し、同様な内容についてその説明が省略される。
【０１０７】
図１８は本発明の実施例４のユーザ装置の構成を示す図である。図１８に示すように、ユーザ装置１８００は、コネクティビティ解放部１８０１を含む。ユーザ装置１８００の他の部分は、従来技術を参照してもよく、ここでその説明が省略される。
【０１０８】
コネクティビティ解放部１８０１は、第２のコネクティビティのＭＡＣ層エンティティを解放する。ユーザ装置とネットワーク側との間に、第１のコネクティビティ及び第１のコネクティビティよりも弱い機能を有する第２のコネクティビティを含むデュアルコネクティビティが存在する。第２のコネクティビティのＭＡＣ層エンティティは、少なくとも多重化又は逆多重化モジュール及び論理チャネル優先順位付けモジュールを含む。
【０１０９】
１つの態様では、ユーザ装置はまず第２のコネクティビティを解放して、従来のプロトコルの規定に従って接続状態から離れる動作を行ってもよい。図１９は本発明の実施例４のユーザ装置の他の構成を示す図であり、図１９に示すように、ユーザ装置１９００は、上述したように、コネクティビティ解放部１８０１を含む。
【０１１０】
図１９に示すように、ユーザ装置１９００は、リソース解放部１９０２をさらに含んでもよい。リソース解放部１９０２は、第２のコネクティビティに関連する、アイドル状態において動作するべきタイマ以外の全てのタイマを停止し、第２のコネクティビティに関連する全ての無線リソースを解放する。
【０１１１】
図１９に示すように、ユーザ装置１９００は、離れ動作部１９０３をさらに含んでもよい。離れ動作部１９０３は、接続状態から離れる動作を行い、従来のプロトコルの規定に従って動作を行ってもよい。
【０１１２】
もう１つの態様では、ユーザ装置は、第２のコネクティビティを解放すると同時に、接続状態から離れる動作を行ってもよい。図２０は本発明の実施例４のユーザ装置の他の構成を示す図であり、図２０に示すように、ユーザ装置２０００は、上述したように、コネクティビティ解放部１８０１を含む。
【０１１３】
図２０に示すように、ユーザ装置２０００は、接続状態から離れる動作を行う離れ動作部２００２をさらに含んでもよい。接続状態から離れる動作は、第１のコネクティビティのＭＡＣ層エンティティをリセットすること、第１のコネクティビティ及び第２のコネクティビティに対応する、アイドル状態において動作するべきタイマ以外の他のタイマを停止すること、及び２つのコネクティビティに関連する全ての無線リソースを解放することを含む。
【０１１４】
図２０に示すように、ユーザ装置２０００は、情報通知部２００３及び状態変換部２００４をさらに含んでもよい。情報通知部２００３は、ＲＲＣ接続が解放されたこと及び原因を上位層に通知する。状態変換部２００４は、ＲＲＣ接続から離れた原因が「Ｅ−ＵＴＲＡから移動する命令」が受信されたこと、又はタイマＴ３１１が動作している時にクロスＲＡＴのセルを選択することではない場合、該ユーザ装置がアイドル状態になるようにする。
【０１１５】
もう１つの態様では、ユーザ装置は、第２のコネクティビティを解放するための指示を受信した場合、第２のコネクティビティのＭＡＣ層エンティティを解放してもよい。図２１は本発明の実施例４のユーザ装置の他の構成を示す図であり、図２１に示すように、ユーザ装置２１００は、上述したように、コネクティビティ解放部１８０１を含む。
【０１１６】
図２１に示すように、ユーザ装置２１００は、第２のコネクティビティを解放するための指示を受信する指令受信部２１０２、をさらに含んでもよい。該指示は、基地局からのものであってもよし、ユーザ装置の内部からのものであってもよく、例えば、ユーザ装置の他の動作により第２のコネクティビティの解放を起こす。
【０１１７】
具体的に実施する際に、コネクティビティ解放部は、第２のコネクティビティに関連する全てのタイマを停止し、第２のコネクティビティにおける無線ベアラが既に確立された全てのＲＬＣ層エンティティ及び関連するＰＤＣＰ層エンティティを含む第２のコネクティビティに関連する全ての無線リソースを解放してもよい。実際の状況に応じて具体的な機能を決定してもよい。
【０１１８】
図２２は本発明の実施例４のユーザ装置の他の構成を示す図であり、図２２に示すように、ユーザ装置２２００は、上述したように、コネクティビティ解放部１８０１を含む。
【０１１９】
図２２に示すように、ユーザ装置２２００は、ユーザ装置が第１のコネクティビティ及び第２のコネクティビティを含むデュアルコネクティビティを有するか否かを判断するコネクティビティ判断部２２０２、をさらに含んでもよい。デュアルコネクティビティを有するとコネクティビティ判断部２２０２により判断された場合、コネクティビティ解放部１８０１は、第２のコネクティビティのＭＡＣ層エンティティを解放する。
【０１２０】
上記実施例によれば、デュアルコネクティビティ構造で、第２のコネクティビティに対応するＭＡＣ層エンティティを合理的に確立し、或いは解放することで、ユーザ装置のリソースを効率的に管理でき、制御を最適化して無駄なリソースを低減できる。
【０１２１】
＜実施例５＞
本発明の実施例は、通信システムを提供し、該通信システムは実施例３に記載のユーザ装置、又は実施例４に記載のユーザ装置を含む。
【０１２２】
図２３は本発明の実施例５の通信システムの構成を示す図である。図２３に示すように、該通信システムはユーザ装置２３０１を含み、ユーザ装置２３０１はデュアルコネクティビティを介してマクロセル基地局２３０２又はスモールセル基地局２３０３と通信する。
【０１２３】
本発明の実施例は、ユーザ装置においてプログラムを実行する際に、コンピュータに、上記の実施例１又は２に記載のＭＡＣ層エンティティの処理方法を該ユーザ装置において実行させる、コンピュータ読み取り可能なプログラム、をさらに提供する。
【０１２４】
本発明の実施例は、コンピュータに、上記の実施例１又は２に記載のＭＡＣ層エンティティの処理方法をユーザ装置において実行させるためのコンピュータ読み取り可能なプログラムを記憶する記憶媒体、をさらに提供する。
【０１２５】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１２６】
一つ以上の機能ブロックおよび/または添付の図面内の機能ブロックの一つ以上の組合せは、汎用プロセッサ、デジタル信号プロセッサ（DSP）、特定用途向け集積回路（ASIC）、フィールド・プログラマブル・ゲートとして実現されてもよいアレイ（FPGA）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、DSPとマイクロプロセッサの組み合わせとして、コンピューティング機器の組み合わせとして通信DSPと組み合わせて、または任意の他のそのような構成における1つまたは複数のマイクロプロセッサ、複数のプロセッサを実現することができる。
【０１２７】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
0006421838.tif 000002
【図２】
0006421838.tif 000003
【図３】
0006421838.tif 000004
【図４】
0006421838.tif 000005
【図５】
0006421838.tif 000006
【図６】
0006421838.tif 000007
【図７】
0006421838.tif 000008
【図８】
0006421838.tif 000009
【図９】
0006421838.tif 000010
【図１０】
0006421838.tif 000011
【図１１】
0006421838.tif 000012
【図１２】
0006421838.tif 000013
【図１３】
0006421838.tif 000014
【図１４】
0006421838.tif 000015
【図１５】
0006421838.tif 000016
【図１６】
0006421838.tif 000017
【図１７】
0006421838.tif 000018
【図１８】
0006421838.tif 000019
【図１９】
0006421838.tif 000020
【図２０】
0006421838.tif 000021
【図２１】
0006421838.tif 000022
【図２２】
0006421838.tif 000023
【図２３】
0006421838.tif 000024